(57)【特許請求の範囲】
【請求項１】
複数の案内ロール（２、２ａ、２ｂ…）に掛け回されて循環走行する無端状のろ布（１、１ａ、１ｂ）に、所定位置で原液の固液分離を行い、分離した脱水ケーキをろ布（１、１ａ、１ｂ）から剥離させた後、ろ布（１、１ａ、１ｂ）を洗浄して再び固液分離を行なう脱水機において、水平状に支架した洗浄主管（１１）の周部に細孔を有する筒体（１３）を回転自在に配設し、この筒体（１３）に通水性ろ材（１４）を張設して筒体（１３）をろ布（１、１ａ、１ｂ）に転接させ、この筒体（１３）に洗浄薬液を供給することを特徴とするろ布走行型脱水機におけるろ布の洗浄装置。
【請求項２】
上記洗浄主管（１１）を調整弁（２２）を介して薬液タンク（２０）に連結し、洗浄主管（１１）の上部に多数のノズル（１２）を連結したことを特徴とする請求項１記載のろ布走行型脱水機におけるろ布の洗浄装置。
【請求項３】
上記洗浄主管（１１）の端部に液位の検知管（２３）を連結したことを特徴とする請求項１、２記載のろ布走行型脱水機におけるろ布の洗浄装置。
【発明の詳細な説明】
【０００１】
【発明の属する技術分野】
この発明は、ベルトプレスやドラム型又は水平ベルト型の真空脱水機のろ布の洗浄装置に関し、詳しくは、高圧洗浄水を噴射しても目詰まり物が除去できなくなるまで汚れたろ布を、脱水機から取外すことなく再生させるろ布走行型脱水機におけるろ布の洗浄装置に関する。
【０００２】
【従来の技術】
従来、ろ布に炭酸カルシュームやスラリー等の無機物が固着してくると、脱水機に装着してある洗浄管から高圧水を噴射してもろ布の目詰り物の除去ができなくなる。そして、従来のろ布の再生方法としては、機体からろ布を取外して酸性の処理液等に長時間浸漬して目詰まり成分を溶解した後、高速ジェッター、或は、ブラシ等を用いて水洗いしていた。また、他の手段として、汚れたろ布を機体に装着したままで走行させ、ろ布に残滓付着防止液を噴射ノズルから噴射し、或は、並設した浸漬槽に浸漬走行させて汚れたろ布を洗浄する装置も、例えば、特公平７−１２５５７号公報に記載してあるように公知である。
【０００３】
【発明が解決しようとする課題】
然しながら、上記従来の機体からろ布を取外しろ布を再生させる操作は、良好にろ布の目詰まり物の取除きが行なえるものであるが、ろ布を機体から脱着するので労作が面倒であり、酸洗する際には、強度の酸性液に対して手扱いであるので危険を伴っていた。また、機体に装着したままで走行させて洗浄する装置は、ろ布を機体から取外す労作と、強酸性液を手扱いするといった危険を少なくする利点があるが、噴射ノズルからろ布面に噴射する散布薬液がムラとなり、均一なろ布面の洗浄が困難であった。また、ろ布の伸縮や左右の縫製の違いによりロール間に張設したろ布が斜傾して、薬液がろ布表面を無駄に流れる欠点があった。そして、浸漬槽にろ布を浸漬して走行させる装置にあっては、汚れたろ布を浸漬させるために浸漬槽が懸濁し早期に薬液の交換を必要としていた。また、ろ布の全長が長くなり、洗浄装置も複雑となる欠点があった。
【０００４】
【課題を解決するための手段】
この発明は、上述のような従来の課題を解決したものであって、その要旨とするところは、複数の案内ロールに掛け回されて循環走行する無端状のろ布に、所定位置で原液の固液分離を行い、分離した脱水ケーキをろ布から剥離させた後、ろ布を洗浄して再び固液分離を行なう脱水機において、上記脱水ケーキを剥離したろ布の表面に通水性を有する中空状の筒体を転接させ、この筒体に洗浄薬液を供給して、ろ布の走行により筒体を回転させ、筒体から薬液をろ布に供給するようにしたものである。そして、ろ布に転接させる筒体は、具体的には、脱水機に水平状に支架した洗浄主管の周部に細孔を有する筒体を回転自在に配設し、この筒体に通水性ろ材を張設して筒体をろ布に転接させるようにしたもので、ろ布面にムラなく均一に洗浄薬液が供給できるものである。また、洗浄主管を調整弁を介して薬液タンクに連結し、
洗浄主管の上部に多数のノズルを連結して、筒体の上面に向って薬液を噴射させるので、筒体内部に薬液の貯留空間が形成され、筒体の通水性ろ材からろ布面を均一に湿潤させることができる。なお、洗浄主管の端部に液位の検知管を連結して立設しておけば、筒体への薬液の供給状態が把握できるものである。そして、液位の検知により調整弁の開閉を行なえば自動散布が可能となるものである。
【０００５】
【発明の実施の形態】
この発明に係る装置は、上述のように構成してあり、複数の案内ロールに掛け回されて循環走行する無端状のろ布は、所定位置で原液が供給され、ろ布からろ液を排出して固液分離を行い、捕捉した脱水ケーキをろ布から剥離させた後、洗浄水を噴射してろ布に付着している固形物を洗い流して再び固液分離を行なう。やがて、洗浄装置からの洗浄水の噴射ではろ布に付着した固形物の取除きが困難となった時には、ろ布への原液の供給を停止して調整弁を開放すると、薬液タンクから薬液が流下して洗浄主管に流入する。薬液が洗浄主管の内部に充満すると洗浄主管の上部のノズルから洗浄薬液が溢流し、薬液の貯留空間が形成された筒体底部に貯えられる。そして、ろ布の走行により筒体がろ布に摺接しながら回転し、筒体に張設した通水性ろ材から浸出した洗浄薬液がろ布に滴下され、洗浄薬液をろ布に染込ませてろ布の目詰り物を溶解させる。そして、案内ロール間をろ布を走行させることにより巻き回したロールを反転する時にろ布に付着している目詰り物を浮き上らせて剥離させる。次に、脱水機に配設した洗浄装置からろ布に高圧水を噴射して、洗浄薬液とろ布に残っているろ滓を洗い流し、ろ布の再生を終了する。再び、原液の固液分離を開始する。
【０００６】
【実施例】
この発明に係るろ布走行型脱水機におけるろ布の洗浄装置について、実施例に基づき詳述すると、先ず、図１に示す脱水機はベルトプレスであって、一対のろ布１、１が多数の案内ロール２…に掛け回されており、原液の供給管３からホッパー４に供給した原液を上下のろ布１、１で挟持して、重力脱水ゾーンＡでろ液を排出し、加圧ゾーンＢの加圧ロール５…で圧搾脱水して、剥離ロール６に当接したスクレパー７でろ布１からケーキを剥離して機外に排出するようにしてある。次に、洗浄管８から高圧水を噴射して、ろ布１、１に付着しているろ滓を洗い流した後、再び原液をろ布１上に供給して固液分離を行なうようにしてある。やがて、対象原液が下水あるいは上水汚泥の場合には、ろ布１に炭酸カルシューム、スラリー等の無機物が付着してろ布１の目詰りが生じてくる。また、食品排水等の産業排水においては、脂肪、膠質、蛋白質も付着してくる。目詰まりによりろ布１のろ過性能が低下してくると、原液の供給を停止させ、ろ布１を洗浄管８から加圧水を噴射しながらろ布１を洗浄する。次に、ろ布１を走行させながら薬液洗浄装置９から薬液を供給し、ろ布１の目詰まり物を洗い流すようにしてある。
【０００７】
この発明に係る薬液洗浄装置９について詳述すると、図２は薬液洗浄装置９の一部縦断側面図であって、機枠１０、１０に洗浄主管１１が水平状に支架してあり、洗浄主管１１の上部に等間隔に多数のノズル１２…が螺着してある。洗浄主管１１の周部に細孔を有する筒体１３が配設してあり、この筒体１３の外周に通水性ろ材１４が張設してある。この筒体１３は外周部にスクリーンを張設した構造としても、あるいは、パンチングメタルで構成してもよいものである。また、筒体１３の外周に張設する通水性ろ材１４は不織布、フェルト、あるいは、スポンジ等が考えられる。筒体１３の両側端には内周面に液封用のオイルシール１５を嵌入した支持板１６、１６が嵌着してあり、この支持板１６で筒体１３を洗浄主管１１に回動自在に支架してある。そして、筒体１３はろ布１の表面に接触させてあり、ろ布１を走行させると、筒体１３がろ布１に摺接しながら回転するようにしてある。符号１７は支持板１６に取付けたオイルシール１５の押さえ板、符号１８は筒体１３の両側端の洗浄主管１１に嵌着したストッパー、符号１９は筒体１３の中間部に嵌入した支持板である。
【０００８】
上記の薬液洗浄装置９には、図３に示すように、薬液タンク２０に接続した供給管２１が調整弁２２を介して連結してあり、調整弁２２を開放して洗浄薬液を薬液タンク２０から流下させて洗浄主管１１に流入させるようにしてある。符号２３は洗浄主管１１の端部に立設した液位の検知管であって、洗浄主管１１に流入する洗浄薬液の状態を検知して、調整弁２２の開口度を調節するようにしてある。そして、洗浄主管１１に充満した洗浄薬液は洗浄主管１１の上部のノズル１２から溢流し、洗浄主管１１の周面を伝って滴下させ、筒体１３の内部の貯留空間に薬液を溜めるようにしてある。そして、ろ布１の走行により筒体１３が回転しながら筒体１３に張設した通水性ろ材１４から浸出する洗浄薬液がろ布１に摺接しながら滴下され、ろ布１に固着する炭酸カルシューム等の目詰り物を溶解させるようにしてある。
【０００９】
なお、このろ布１の薬液洗浄装置９に使用する薬液は、ろ布１の目詰まりが炭酸カルシウム等の無機物に起因する原液に対しては、インヒビター、界面活性剤を添加した酸性洗浄薬液を薬液タンク２０に貯留する。そして、ベルトプレスに配設した洗浄管８からの高圧水では除去できない炭酸塩や無機塩類を酸性洗浄薬液で溶解させ、インヒビターで金属部分が酸により腐敗されるのを防止するものであり、界面活性剤は酸洗浄によって生じた第二鉄イオンを減少させてインヒビターの効果を保持するものである。また、原液中に脂肪、膠質、あるいは、たんぱく質を含有するものにあっては、洗浄薬液として界面活性剤を使用すればよいものである。
【００１０】
図４は脱水機の他の実施例であって、ドラム２５の下半部を原液槽２４に原液に浸漬させたドラム型の真空脱水機であって、ドラム２５と案内ロール２ａにろ布１ａがエンドレス状に掛け回してある。そして、ドラム２５内にろ液を真空吸引してろ布１ａに固形物を捕捉させ、水面上に移送した固形物を吸引脱水させ、ドラム２５から離反したろ布１ａ上のケーキを剥離ロール６ａに当接したスクレパー７ａで剥離して、洗浄管８ａから高圧水を噴射してろ布１ａを洗浄し、再びろ布１ａをドラム２５に密着させて原液中に浸漬させてろ液を吸引するようにしてある。そして、ろ布１ａが目詰まりしてくると、原液槽２４の原液を排出し、ドラム２５を回転させてろ布１ａを走行させ、薬液洗浄装置９ａをろ布１ａに転接させてろ布１ａの付着物を溶解させるようにしてある。
【００１１】
また、図５は脱水機の他の実施例であって、ドライブプーリー２６とテールプーリー２７にエンドレス状に掛け回したフイルターベルト２８の水平走行部分に、案内ロール２ｂに張設したろ布１ｂを重ね合せて走行させる水平ベルト型の真空脱水機であって、フイードボックス２９に供給した原液をフイルターベルト２８の裏面に配設したサクションボックス３０から真空吸引して、原液の固液分離を行なうようにしてある。そして、ろ布１ｂが目詰まりしてろ過性能が低下した時には、原液の供給を停止し、ドライブプーリー２６を回転させてフイルターベルト２８を走行させ、薬液洗浄装置９ｂをろ布１ｂに転接させてろ布１ｂの付着物を溶解させるようにしてある。
【００１２】
【発明の効果】
この発明は上記のように構成してあり、通水性ろ材を張設して筒体をろ布に転接させながら薬液を供給すれば、ろ布に付着している目詰り物を溶解してろ布を再生することができる。即ち、機体にろ布を装着したままで薬液洗浄を行なう従来装置にあっては、ろ布面に噴射する散布薬液がムラとなり、均一なろ布面の洗浄が困難であった。また、薬液がろ布表面を無駄に流れる欠点があったものであるが、この発明にあっては、洗浄主管のノズルから溢流した洗浄薬液を筒体の貯留空間に貯えて、通水性ろ材から洗浄薬液を浸出させ、摺接しているろ布に洗浄薬液を染込ませるので、薬液がろ布面に均一に塗布され、薬液の流失のムダもなくろ布の目詰り物を溶解させることができるものである。そして、浸漬槽にろ布を浸漬して走行させる従来装置のように、ろ布の全長が長くなることもなく、案内ロールと実質的に同径の薬液洗浄装置をろ布に転接させるだけでよく、脱水機の機長も短くて済むものである。
【図面の簡単な説明】
【図１】この発明に係るろ布の洗浄装置を配設したベルトプレスの概念図である。
【図２】この発明に係る薬液洗浄装置の一部縦断側面図である。
【図３】同じく、薬液洗浄装置に薬液タンクを配設した状態を示す概念図である。
【図４】この発明に係るろ布の洗浄装置を配設したドラム型真空脱水機の概念図である。
【図５】同じく、水平ベルト型真空脱水機の概念図である。
【符号の説明】
１、１ａ、１ｂ  ろ布
２、２ａ、２ｂ  案内ロール
１１  洗浄主管
１２  ノズル
１３  筒体
１４  通水性ろ材
２０  薬液タンク
２２  調整弁
２３  検知管
【図１】
0003778337.tif 000002
【図２】
0003778337.tif 000003
【図３】
0003778337.tif 000004
【図４】
0003778337.tif 000005
【図５】
0003778337.tif 000006